(57)【要約】【課題】単位面積あたりの発光体の発光効率を向上することを可能とする光源装置及び投写型映像表示装置を提供する。【解決手段】光源装置２００は、光源１０Ｘ１、光源１０Ｘ２、発光体ホイール２０、光学素子２５を備える。光源１０Ｘ１及び光源１０Ｘ２は、第１主面２０Ｐ側及び第２主面２０Ｑ側から発光体に照射される励起光を出射する。発光体は、励起光に応じて基準映像光を出射する。光学素子２５は、第１主面２０Ｐ側から発光体に照射される励起光を透過し、発光体から出射される基準映像光を透過する。【選択図】図１
2013120380.tif 000002
【特許請求の範囲】
【請求項１】
発光体を有しており、第１主面及び第２主面を有する発光体ホイールと、
前記第１主面側及び前記第２主面側から前記発光体に照射される励起光を出射する光源と、
前記発光体ホイールに対して、前記第１主面側に設けられる光学素子とを備え、
前記発光体は、前記励起光に応じて基準映像光を出射し、
前記光学素子は、前記第１主面側から前記発光体に照射される励起光を前記発光体側に反射し、前記発光体から出射される前記基準映像光を透過することを特徴とする光源装置。
【請求項２】
前記光源は、前記第１主面側から前記発光体に照射される励起光を出射する第１光源と、前記第２主面側から前記発光体に照射される励起光を出射する第２光源とを含むこととを特徴とする請求項１に記載の光源装置。
【請求項３】
前記光源から出射される励起光を、前記第１主面側から前記発光体に照射される励起光と前記第２主面側から前記発光体に照射される励起光とに分離する分離光学素子を備えることを特徴とする請求項１に記載の光源装置。
【請求項４】
前記分離光学素子は、前記第１主面側から前記発光体に照射される励起光として、前記光源から出射される励起光の第１偏光成分光を分離し、前記第２主面側から前記発光体に照射される励起光として、前記光源から出射される励起光の第２偏光成分光を分離することを特徴とする請求項１に記載の光源装置。
【請求項５】
請求項１に記載の光源装置と、
前記光源装置から出射される基準映像光を変調する光変調素子と、
前記光変調素子から出射される光を投写する投写ユニットとを備えることを特徴とする投写型映像表示装置。
【発明の詳細な説明】
【技術分野】
【０００１】
本発明は、励起光を出射する光源と、励起光に応じて所定色成分光を出射する発光体とを備える光源装置及び投写型映像表示装置に関する。
【背景技術】
【０００２】
従来、光源と、光源から出射された光を変調する光変調素子と、光変調素子から出射された光を投写面上に投写する投写ユニットとを有する投写型映像表示装置が知られている。
【０００３】
ここで、光源から出射される光を励起光として、赤成分光、緑成分光、青成分光などの基準映像光を出射する発光体を有する投写型映像表示装置が提案されている（例えば、特許文献１）。具体的には、各色成分光を出射する複数種類の発光体がカラーホイールに設けられており、カラーホイールの回転によって、各色成分光が時分割で出射される。
【先行技術文献】
【特許文献】
【０００４】
【特許文献１】特開２００４−３４１１０５号公報
【発明の概要】
【発明が解決しようとする課題】
【０００５】
ところで、発光体から出射される基準映像光の光量を大きくするためには、発光体に照射される励起光の光量を大きくする必要がある。励起光の光量を大きくするためには、励起光を出射する光源の数を増大する必要がある。結果として、発光体に励起光が照射される面積が増大して、単位面積あたりの発光体の発光効率が低下してしまう。
【０００６】
そこで、本発明は、上述した課題を解決するためになされたものであり、単位面積あたりの発光体の発光効率を向上することを可能とする光源装置及び投写型映像表示装置を提供することを目的とする。
【課題を解決するための手段】
【０００７】
第１の特徴に係る光源装置（光源装置２００）は、発光体を有しており、第１主面及び第２主面を有する発光体ホイール（発光体ホイール２０）と、前記第１主面側及び前記第２主面側から前記発光体に照射される励起光を出射する光源（例えば、光源１０Ｘ、光源１０Ｘ１、光源１０Ｘ２など）と、前記発光体ホイールに対して、前記第１主面側に設けられる光学素子（光学素子２５）とを備える。前記発光体は、前記励起光に応じて基準映像光を出射する。前記光学素子は、前記第１主面側から前記発光体に照射される励起光を透過し、前記発光体から出射される前記基準映像光を透過する。
【０００８】
第１の特徴において、前記光源は、前記第１主面側から前記発光体に照射される励起光を出射する第１光源（例えば、光源１０Ｘ１）と、前記第２主面側から前記発光体に照射される励起光を出射する第２光源（例えば、光源１０Ｘ２）とを含む。
【０００９】
第１の特徴において、光源装置は、前記光源から出射される励起光を、前記第１主面側から前記発光体に照射される励起光と前記第２主面側から前記発光体に照射される励起光とに分離する分離光学素子（例えば、分離光学素子２１１）を備える。
【００１０】
第１の特徴において、前記分離光学素子は、前記第１主面側から前記発光体に照射される励起光として、前記光源から出射される励起光の第１偏光成分光を分離し、前記第２主面側から前記発光体に照射される励起光として、前記光源から出射される励起光の第２偏光成分光を分離する。
【００１１】
第２の特徴に係る投写型映像表示装置は、第１の特徴に係る光源装置と、前記光源装置から出射される基準映像光を変調する光変調素子と、前記光変調素子から出射される光を投写する投写ユニットとを備える。
【発明の効果】
【００１２】
本発明によれば、単位面積あたりの発光体の発光効率を向上することを可能とする光源装置及び投写型映像表示装置を提供することができる。
【図面の簡単な説明】
【００１３】
【図１】図１は、第１実施形態に係る投写型映像表示装置１００を示す図である。
【図２】図２は、第１実施形態に係る発光体ホイール２０を示す図である。
【図３】図３は、第１実施形態に係る励起光の照射を示す図である。
【図４】図４は、変更例１に係る光源装置２００を示す図である。
【図５】図５は、変更例２に係る光源装置２００を示す図である。
【図６】図６は、変更例３に係る光源装置２００を示す図である。
【発明を実施するための形態】
【００１４】
以下において、本発明の実施形態に係る光源装置及び投写型映像表示装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る光源装置は、発光体を有しており、第１主面及び第２主面を有する発光体ホイールと、前記第１主面側及び前記第２主面側から前記発光体に照射される励起光を出射する光源と、前記発光体ホイールに対して、前記第１主面側に設けられる光学素子とを備える。前記発光体は、前記励起光に応じて基準映像光を出射する。前記光学素子は、前記第１主面側から前記発光体に照射される励起光を透過し、前記発光体から出射される前記基準映像光を透過する。
【００１７】
実施形態では、光源から出射される励起光は、第１主面側及び第２主面側から発光体に照射される。従って、励起光が発光体に照射される面積を拡大することなく、単位面積あたりの励起光の密度を高めることが可能である。従って、単位面積あたりの発光体の発光効率が向上する。
【００１８】
なお、励起光は、主として青成分光である。基準映像光は、映像を構成する光であり、例えば、赤成分光、緑成分光又は青成分光である。
【００１９】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２０】
図１に示すように、第１に、投写型映像表示装置１００は、光源１０と、発光体ホイール２０と、光学素子２５と、クロスダイクロイックプリズム２７と、ロッドインテグレータ３０と、ＤＭＤ４０と、投写ユニット５０とを有する。
【００２１】
光源１０は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などの複数の固体光源によって構成される。第１実施形態では、光源１０として、光源１０Ｘ１、光源１０Ｘ２、光源１０Ｂ及び光源１０Ｒが設けられる。
【００２２】
光源１０Ｘ１は、青成分光Ｂを励起光して出射する。同様に、光源１０Ｘ２は、青成分光Ｂを励起光して出射する。光源１０Ｘ１及び光源１０Ｘ２は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２３】
光源１０Ｒは、赤成分光Ｒを基準映像光として出射する。光源１０Ｒは、例えば、LＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２４】
光源１０Ｂは、青成分光Ｂを基準映像光として出射する。光源１０Ｂは、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２５】
発光体ホイール２０は、励起光（青成分光Ｂ）の光軸方向に沿って延びる回転軸２０を中心として回転するように構成される。発光体ホイール２０は、第１主面２０Ｐ及び第２主面２０Ｑを有する。
【００２６】
詳細には、発光体ホイール２０は、図２に示すように、回転面２１と、緑領域２２Ｇとを有する。回転面２１は、透明な部材によって構成されており、第１主面２０Ｐ及び第２主面２０Ｑを構成する。緑領域２２Ｇは、光源１０Ｂから出射される励起光（青成分光Ｂ）に応じて緑成分光Ｇ（基準映像光）を発光する発光体Ｇを有する。発光体Ｇは、蛍光体或いは燐光体である。緑領域２２Ｇは、第１主面２０Ｐ側に設けられていてもよく、第２主面２０Ｑ側に設けられていてもよい。
【００２７】
光学素子２５は、発光体ホイール２０に対して、第１主面２０Ｐ側に設けらる。光学素子２５は、第１主面２０Ｐ側から発光体Ｇに照射される青成分光Ｂ（励起光）を発光体Ｇ側に反射する。一方で、光学素子２５は、発光体Ｇから出射される緑成分光Ｇ（基準映像光）を透過する。光学素子２５は、例えば、青成分光Ｂを反射して、緑成分光Ｇを透過するダイクロイックミラーである。
【００２８】
クロスダイクロイックプリズム２７は、発光体ホイール２０から出射される緑成分光Ｇを透過して、光源１０Ｒから出射される赤成分光Ｒ及び光源１０Ｂから出射される青成分光Ｂを反射する。
【００２９】
ロッドインテグレータ３０は、ガラスなどの透明部材によって構成される中実のロッドである。ロッドインテグレータ３０は、光源１０から出射される光を均一化する。なお、ロッドインテグレータ３０は、内壁がミラー面によって構成される中空のロッドであってもよい。
【００３０】
ＤＭＤ４０は、光源１０から出射される光を変調する。詳細には、ＤＭＤ４０は、複数の微小ミラーによって構成されており、複数の微小ミラーは可動式である。各微小ミラーは、基本的に１画素に相当する。ＤＭＤ４０は、各微小ミラーの角度を変更することによって、投写ユニット５０側に光を反射するか否かを切り替える。
【００３１】
第１実施形態では、ＤＭＤ４０として、ＤＭＤ４０Ｒ、ＤＭＤ４０Ｇ及びＤＭＤ４０Ｂが設けられる。ＤＭＤ４０Ｒは、赤映像信号Ｒに基づいて赤成分光Ｒを変調する。ＤＭＤ４０Ｇは、緑映像信号Ｇに基づいて緑成分光Ｇを変調する。ＤＭＤ４０Ｂは、青映像信号Ｂに基づいて青成分光Ｂを変調する。
【００３２】
投写ユニット５０は、ＤＭＤ４０によって変調された映像光を投写面上に投写する。
【００３３】
第２に、投写型映像表示装置１００は、必要なレンズ群及びミラー群を有する。レンズ群としては、レンズ１１４〜レンズ１１６が設けられており、ミラー群としては、ミラー１２１〜ミラー１２５が設けられる。
【００３４】
レンズ１１４は、クロスダイクロイックプリズム２７から出射される光をロッドインテグレータ３０の光入射面に集光する集光レンズである。レンズ１１５及びレンズ１１６は、ロッドインテグレータ３０から出射される光を各ＤＭＤ４０上に略結像するリレーレンズである。ミラー１２５は、各色成分光を反射する反射ミラーである。
【００３５】
第３に、投写型映像表示装置１００は、必要なプリズム群を有する。プリズム群として、プリズム２１０、プリズム２２０、プリズム２３０、プリズム２４０及びプリズム２５０が設けられる。
【００３６】
プリズム２１０は、透光性部材によって構成されており、面２１１及び面２１２を有する。プリズム２１０（面２１１）とプリズム２５０（面２５１）との間にはエアギャップが設けられており、プリズム２１０に入射した光が面２１１に入射する角度（入射角）が全反射角よりも大きいため、プリズム２１０に入射した光は面２１１で反射される。一方で、プリズム２１０（面２１２）とプリズム２２０（面２２１）との間にはエアギャップが設けられるが、面２１１で反射された光が面２１２に入射する角度（入射角）が全反射角よりも小さいため、面２１１で反射された光は面２１２を透過する。
【００３７】
プリズム２２０は、透光性部材によって構成されており、面２２１及び面２２２を有する。プリズム２１０（面２１２）とプリズム２２０（面２２１）との間にはエアギャップが設けられており、面２２２で最初に反射された青成分光Ｂ及びＤＭＤ４０Ｂから出射された青成分光Ｂが面２２１に入射する角度（入射角）が全反射角よりも大きいため、面２２２で最初に反射された青成分光Ｂ及びＤＭＤ４０Ｂから出射された青成分光Ｂは面２２１で反射される。一方で、面２２１で反射された後に面２２２で２回目に反射された青成分光Ｂが面２２１に入射する角度（入射角）が全反射角よりも小さいため、面２２１で反射された後に面２２２で２回目に反射された青成分光Ｂは面２２１を透過する。
【００３８】
面２２２は、赤成分光Ｒ及び緑成分光Ｇを透過して、青成分光Ｂを反射するダイクロイックミラー面である。従って、面２１１で反射された光のうち、赤成分光Ｒ及び緑成分光Ｇは面２２２を透過し、青成分光Ｂは面２２２で反射される。面２２１で反射された青成分光Ｂは面２２２で反射される。
【００３９】
プリズム２３０は、透光性部材によって構成されており、面２３１及び面２３２を有する。プリズム２２０（面２２２）とプリズム２３０（面２３１）との間にはエアギャップが設けられており、面２３１を透過して面２３２で反射された赤成分光Ｒ及びＤＭＤ４０Ｒから出射された赤成分光Ｒが再び面２３１に入射する角度（入射角）が全反射角よりも大きいため、面２３１を透過して面２３２で反射された赤成分光Ｒ及びＤＭＤ４０Ｒから出射された赤成分光Ｒは面２３１で反射される。一方で、ＤＭＤ４０Ｒから出射されて面２３１で反射された後に面２３２で反射された赤成分光Ｒが再び面２３１に入射する角度（入射角）が全反射角よりも小さいため、ＤＭＤ４０Ｒから出射されて面２３１で反射された後に面２３２で反射された赤成分光Ｒは面２３１を透過する。
【００４０】
面２３２は、緑成分光Ｇを透過して、赤成分光Ｒを反射するダイクロイックミラー面である。従って、面２３１を透過した光のうち、緑成分光Ｇは面２３２を透過し、赤成分光Ｒは面２３２で反射される。面２３１で反射された赤成分光Ｒは面２３２で反射される。ＤＭＤ４０Ｇから出射された緑成分光Ｇは面２３２を透過する。
【００４１】
プリズム２４０は、透光性部材によって構成されており、面２４１を有する。面２４１は、緑成分光Ｇを透過するように構成されている。なお、ＤＭＤ４０Ｇへ入射する緑成分光Ｇ及びＤＭＤ４０Ｇから出射された緑成分光Ｇは面２４１を透過する。
【００４２】
プリズム２５０は、透光性部材によって構成されており、面２５１を有する。
【００４３】
言い換えると、青成分光Ｂは、（１）面２１１で反射されて、（２）面２２２で反射されて、（３）面２２１で反射されて、（４）ＤＭＤ４０Ｂで反射されて、（５）面２２１で反射されて、（６）面２２２で反射されて、（７）面２２１、面２５１を透過する。これによって、青成分光Ｂは、ＤＭＤ４０Ｂで変調されて、投写ユニット５０に導かれる。
【００４４】
赤成分光Ｒは、（１）面２１１で反射されて、（２）面２１２、面２２１、面２２２及び面２３１を透過した上で、面２３２で反射されて、（３）面２３１で反射されて、（４）ＤＭＤ４０Ｒで反射されて、（５）面２３１で反射されて、（６）面２３２で反射されて、（７）面２３１、面２３２、面２２１、面２１２、面２１１及び面２５１を透過する。これによって、赤成分光Ｒは、ＤＭＤ４０Ｒで変調されて、投写ユニット５０に導かれる。
【００４５】
緑成分光Ｇは、（１）面２１１で反射されて、（２）面２１２、面２２１、面２２２、面２３１、面２３２、面２４１を透過した上で、ＤＭＤ４０Ｇで反射されて、（３）面２４１、面２３２、面２３１、面２２２、面２２１、面２１２、面２１１及び面２５１を透過する。これによって、緑成分光Ｇは、ＤＭＤ４０Ｇで変調されて、投写ユニット５０に導かれる。
【００４６】
第４に、投写型映像表示装置１００は、分離光学素子２１１と、ミラー２１２と、ミラー２１３とを有する。
【００４７】
分離光学素子２１１は、光源１０Ｘ１及び光源１０Ｘ２から出射される青成分光Ｂ（励起光）から第１主面２０Ｐ側から緑領域２２Ｇ（発光体Ｇ）に照射される青成分光Ｂ（励起光）を分離する。同様に、分離光学素子２１１は、光源１０Ｘ１及び光源１０Ｘ２から出射される青成分光Ｂ（励起光）から第２主面２０Ｑ側から緑領域２２Ｇ（発光体Ｇ）に照射される青成分光Ｂ（励起光）を分離する。
【００４８】
ここで、光源１０Ｘ１及び光源１０Ｘ２から出射される青成分光Ｂ（励起光）の偏光状態が揃っていない場合には、分離光学素子２１１は、第１偏光成分光を透過して、第２偏光成分光を反射するＰＢＳミラーであってもよい。或いは、分離光学素子２１１は、所定量の光を透過して、残りの光を反射するハーフミラーであってもよい。
【００４９】
ミラー２１２及びミラー２１３は、分離光学素子２１１で反射された青成分光Ｂ（励起光）、すなわち、第２主面２０Ｑ側から緑領域２２Ｇ（発光体Ｇ）に照射される青成分光Ｂ（励起光）を反射する。
【００５０】
ここで、光源１０Ｘ１から出射される青成分光Ｂ（励起光）の偏光状態が第１偏光成分光に揃っているべきであり、光源１０Ｘ２から出射される青成分光Ｂ（励起光）の偏光状態が第２偏光成分光に揃っているべきであるケースについて考える。なお、分離光学素子２１１は、第１偏光成分光を透過して、第２偏光成分光を反射するＰＢＳミラーである。
【００５１】
このようなケースにおいて、光源１０Ｘ１及び光源１０Ｘ２から出射される青成分光Ｂ（励起光）の偏光状態が所望の偏光成分光に揃えきれていない場合であっても、従来構成において利用されない青成分光Ｂ（励起光）が第２主面２０Ｑ側から緑領域２２Ｇ（発光体Ｇ）に照射される。従って、光源１０Ｘ１及び光源１０Ｘ２から出射される青成分光Ｂ（励起光）の利用効率が向上する。
【００５２】
なお、光源装置２００は、少なくとも、光源１０、発光体ホイール２０及び光学素子２５を有する。光源装置２００は、クロスダイクロイックプリズム２７を含んでもよい。或いは、光源装置２００は、クロスダイクロイックプリズム２７及びロッドインテグレータ３０を含んでもよい。
【００５３】
（励起光の集光）
以下において、第１実施形態に係る励起光の集光について説明する。図３は、第１実施形態に係る励起光の集光を説明するための図である。
【００５４】
図３に示すように、発光体ホイール２０に対して、第１主面２０Ｐ側には、集光レンズ２３Ａが設けられる。一方で、発光体ホイール２０に対して、第２主面２０Ｑ側には、集光レンズ２３Ｂが設けられる。なお、図１において、集光レンズ２３Ａ及び集光レンズ２３Ｂは省略されているに過ぎない。
【００５５】
集光レンズ２３Ａは、光源１０Ｘ１から出射された青成分光Ｂ（励起光）を緑領域２２Ｇ（発光体Ｇ）に集光する。一方で、集光レンズ２３Ｂは、光源１０Ｘ２から出射された青成分光Ｂ（励起光）を緑領域２２Ｇ（発光体Ｇ）に集光する。詳細には、集光レンズ２３Ａ及び集光レンズ２３Ｂは、同じ位置に青成分光Ｂ（励起光）を集光する。
【００５６】
（作用及び効果）
第１実施形態では、光源１０（光源１０Ｘ１及び光源１０Ｘ２）から出射される青成分光Ｂ（励起光）は、第１主面２０Ｐ側及び第２主面２０Ｑ側から緑領域２２Ｇ（発光体Ｇ）に照射される。従って、励起光が緑領域２２Ｇ（発光体Ｇ）に照射される面積を拡大することなく、単位面積あたりの励起光の密度を高めることが可能である。従って、単位面積あたりの緑領域２２Ｇ（発光体Ｇ）の発光効率が向上する。
【００５７】
[変更例１]
以下において、第１実施形態の変更例１について説明する。以下においては、第１実施形態に対する相違点について主として説明する。
【００５８】
第１実施形態では、光源１０Ｘ１及び光源１０Ｘ２から出射される青成分光Ｂ（励起光）は、分離光学素子２１１によって分離される。これに対して、変更例１では、図４に示すように、光源１０は、第１主面２０Ｐ側から緑領域２２Ｇ（発光体Ｇ）に照射される青成分光Ｂ（励起光）を出射する光源１０Ｘ１と、第２主面２０Ｑ側から緑領域２２Ｇ（発光体Ｇ）に照射される青成分光Ｂ（励起光）を出射する光源１０Ｘ２とを有する。
【００５９】
なお、図４では、投写型映像表示装置１００の一部、すなわち、光源装置２００が例示されている。
【００６０】
[変更例２]
以下において、第１実施形態の変更例２について説明する。以下においては、変更例２に対する相違点について主として説明する。
【００６１】
変更例１では、光源１０Ｘ２は、光源１０Ｘ１から出射される青成分光Ｂ（励起光）の進行方向の直交方向に青成分光Ｂ（励起光）を出射する。これに対して、変更例２では、図５に示すように、光源１０Ｘ２は、光源１０Ｘ１から出射される青成分光Ｂ（励起光）の進行方向の逆方向に青成分光Ｂ（励起光）を出射する。すなわち、変更例１では、第１実施形態と比べて、光源１０Ｘ２の配置が異なっている。
【００６２】
なお、図５では、投写型映像表示装置１００の一部、すなわち、光源装置２００が例示されている。
【００６３】
[変更例３]
以下において、第１実施形態の変更例３について説明する。以下においては、第１実施形態に対する相違点について主として説明する。
【００６４】
第１実施形態では、青成分光Ｂ（励起光）を出射する光源として、複数の光源（光源１０Ｘ１及び光源１０Ｘ２）が設けられる。これに対して、変更例３では、図６に示すように、青成分光Ｂ（励起光）を出射する光源として、単数の光源（光源１０Ｘ）が設けられる。
【００６５】
変更例３において、分離光学素子２１１は、第１偏光成分光を透過して、第２偏光成分光を反射するＰＢＳミラーであってもよい。或いは、分離光学素子２１１は、所定量の光を透過して、残りの光を反射するハーフミラーであってもよい。
【００６６】
なお、図６では、投写型映像表示装置１００の一部、すなわち、光源装置２００が例示されている。
【００６７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６８】
実施形態では、光変調素子として、３つのＤＭＤが例示されているが、実施形態は、これに限定されるものではない。光変調素子は、１つのＤＭＤであってもよい。或いは、光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【符号の説明】
【００６９】
１０…光源、２０…カラーホイール、２５…光学素子、２７…クロスダイクロイックプリズム、３０…ロッドインテグレータ、４０…ＤＭＤ、５０…投写ユニット、１００…投写型映像表示装置、１１４〜１１６…レンズ、１２５…ミラー、２００…光源装置、２１１…分離光学素子、２１２〜２１３…ミラー
【図１】
2013120380.tif 000003
【図２】
2013120380.tif 000004
【図３】
2013120380.tif 000005
【図４】
2013120380.tif 000006
【図５】
2013120380.tif 000007
【図６】
2013120380.tif 000008